(57)【要約】【課題】  光ファイバオーガナイザを用いて光ファイバ及びケーブルを編成するに際し、光ファイバ及びケーブルの経路選択においてより高い柔軟性が得られるようにする。【解決手段】  入口及び出口ポート８，９及び１０，１１間に配置されて光ファイバの曲げ半径を臨界曲げ半径以下に規制する線路手段１３，１４と、支持メンバを貫通する貫通孔１２と、を支持メンバに有する第１及び第２の二つのオーガナイザ２１が背中合わせに組み立てられた光ファイバオーガナイザ・アッセンブリを用意した後、第１のオーガナイザの片面に光ファイバを導き、この光ファイバの経路を、（ａ）第１のオーガナイザのみにおいて編成する経路と、（ｂ）光ファイバの少なくとも一部を第１のオーガナイザから光ファイバ貫通孔を挿通して第２のオーガナイザの片面へ導き第２のオーガナイザにおいて編成する経路、の何れか一方から選択することを特徴とする。【選択図】図３
2005092244.tif 000002
【特許請求の範囲】
【請求項１】
二つの光ファイバオーガナイザを有する光ファイバオーガナイザ・アッセンブリを用いて光ファイバの編成経路を設定する光ファイバ編成方法であって、以下のステップを備えることを特徴とする。
１）第１及び第２の二つの光ファイバオーガナイザを組み立てて構成される光ファイバオーガナイザ・アッセンブリを用意するステップであり、
各オーガナイザがその支持メンバに、（ａ）光ファイバ入口ポートと、（ｂ）光ファイバ出口ポートと、（ｃ）上記支持メンバの片面上において上記入口ポートと出口ポートの間に配置された手段であって、上記入口ポートと出口ポートとの間を通る光ファイバの曲げ半径を該光ファイバの臨界曲げ半径に少なくとも等しい最小の曲げ半径に規制する線路手段と、（ｄ）上記支持メンバを貫通してオーガナイザの上記片面と反対側の面に伸長する光ファイバ貫通孔とを有し、（ｅ）上記第１及び第２の二つのオーガナイザが、各々の支持メンバの片面上に配置された上記線路手段が互いに背反し、且つ、各々の光ファイバ貫通孔が互いに連絡状態にあるように、背中合わせに配置して組み立てられたアッセンブリを用意するステップと、
２）上記第１のオーガナイザの片面に、上記光ファイバ入口ポートから光ファイバを導くステップと、
３）上記第１のオーガナイザの片面に導かれた上記光ファイバの経路を選択するステップであって、（ａ）上記光ファイバを上記第１のオーガナイザのみにおいて編成する経路と、（ｂ）上記光ファイバの少なくとも一部を、上記第１のオーガナイザの片面から上記光ファイバ貫通孔を挿通して上記第２のオーガナイザの片面へ導いて、上記第２のオーガナイザにおいて編成する経路、の何れか一方を選択するステップ。
【請求項２】
上記光ファイバの少なくとも一部は、上記光ファイバ貫通孔を挿通する際には、上記貫通孔の壁部により、光ファイバの臨界曲げ半径に少なくとも等しい最小曲げ半径で、上記線路手段に向かう道筋に沿って曲げられる、ことを特徴とする請求項１記載の光ファイバ編成方法。
【請求項３】
上記線路手段は、光ファイバの自由端が上記入口ポート及び上記光ファイバ貫通孔の少なくとも何れか一方から内部に通ることができる、少なくとも一つの中空のドラムから構成されており、上記線路手段内部の光ファイバは、永久的な損傷を受ける曲げ半径よりも大きい最小の曲げ半径で上記ドラム内に収納されることを特徴とする請求項１又は２に記載の光ファイバ編成方法。
【発明の詳細な説明】
【技術分野】
【０００１】
本発明は、光ファイバ編成方法、より詳しく言えば、光ファイバ網に用いられる接続，終端処理およびスプリッティング（ｓｐｌｉｔｔｉｎｇ）などに適用し得る光ファイバ編成方法に関する。
【背景技術】
【０００２】
光ファイバは、一般に、非常に小径で脆く、したがって損傷を受け易く、そのため、取付および使用に際しては、非常な注意が払われなければならない。損傷や光の損失を回避するためには、光ファイバは、過度に曲げてはならず、また、好ましくない環境条件に曝されてはならない。良く知られているように、各光ファイバには、それ以下ではファイバから光が失われることになるであろう、いわゆる臨界曲げ半径が存在する。それ故、光ファイバシステムは、どの光ファイバもこの臨界値の曲げ半径以下で曲げられることがないように、形づけられなければならない。また、光ファイバは、敷設されている間、たとえ一時的であっても、永久的な損傷が生じるような、より小さな曲げ半径以下で曲げられてはならない。これらの要求は、光ファイバ用の構成部品の設計や光ファイバの配線あるいは編成の経路選択に制約を加えている。
【０００３】
光ファイバシステムにおける構成部品は、例えば、ケーブル終端部，ケーブル接続部およびファイバスプリッタ（ｆｉｂｒｅ  ｓｐｌｉｔｔｅｒ）で、ケーブル及びその構成光ファイバを編成することが求められる。このことは、例えば、数多くの光ファイバ接続部の各々へのアクセスを容易に行えるようにする、注意深い光ファイバの経路選択や、光ファイバの余長部分の収納を含んでいる。
【０００４】
これらの要求を満たすために、数多くの提案がなされてきた。例えば、特許文献１は、長さ可変の余剰ファイバを収納できるようにした光ファイバオーガナイザおよび接続配置を開示している。該オーガナイザ（ｏｒｇａｎｉｚｅｒ）は、基板の第１の矩形区域から伸びる一対の離れた筒状体と、第２の矩形区域において光ファイバ用の対向する入口側面を備えた接続トレイ（ｔｒａｙ）とを有している。余剰ファイバは、長さの違った光ファイバが収納されるように、複数の長さの異なった経路を通って、片方あるいは両方の筒状体の回りや接続トレイの下面側に導かれている。各光ファイバの端末が、ファイバ曲げ半径の制限に反することなく、接続トレイの所定の入口側面に方向付けられるように、時計回り方向，反時計回り方向および８の字状のループが使用される。
【０００５】
また、特許文献２は、ベース，該ベースに連結された多数の光ファイバ収納手段およびベースに取り付けられた光ファイバ受容手段、の三つの要素を備えた光ファイバおよび光ファイバケーブル用の接続トレイを開示している。上記ベースの周縁には複数の起立した側壁部材が配置され、その末端部分はベースの中央に向かって内側へ曲げられている。
【特許文献１】米国特許第４８４０４４９号明細書
【特許文献２】米国特許第４６２７６８６号明細書
【発明の開示】
【発明が解決しようとする課題】
【０００６】
図１は、上記特許文献１に開示されているような、先行技術に係る光ファイバオーガナイザを示している。光ファイバ２を内包する光ファイバケーブル１は、ケーブル拘束用の支柱３によって光ファイバオーガナイザに係止されている。光ファイバは、入口ポート４を通り、そして、面６から突出するドラム５の回りに収納される。光ファイバは、それらどうし間の接続部が固定される接続トレイ７の下側を通っている。
しかしながら、この場合には、複数の入って来る側のケーブルあるいはファイバを個々に編成する手段がなく、ダークファイバ（ｄａｒｋ  ｆｉｂｒｅ）を取り扱う方法がなく、そして、面６の平面内において入って来るケーブルだけしか取り扱うことができないことに気が付くであろう。
【０００７】
また、特許文献２に開示された先行技術に係る光ファイバオーガナイザが図２に示されている。ここでは、入って来る側のケーブル１が並んで配置され、それらが内包するファイバ２は、単に、オーガナイザのベース回りに経路がとられ、そして、その側壁によって保持されている。ケーブルは、クランプ３によって所定位置に保持されている。ファイバ受容手段７は、図の上左側に示されているように、出て行く側のケーブルへの接続のためのファイバ接続部を保持し得る一連の溝を備えている。
しかしながら、この設計は、幾つかの入って来る側のケーブル１が終端をなすことを許容するけれども、経路あるいは収納においては、ほとんど柔軟性がない。
【０００８】
以上のように、従来の光ファイバオーガナイザを用いた場合には、光ファイバ及びケーブルの経路選択や収納において柔軟性が欠けるという問題があった。
【０００９】
そこで、この発明は、光ファイバオーガナイザを用いて光ファイバ及びケーブルを編成あるいは配線するに際して、光ファイバ及びケーブルの経路選択や収納においてより高い柔軟性が得られるようにすることを、基本的な目的としてなされたものである。
【課題を解決するための手段】
【００１０】
このため、本願の第１の発明は、二つの光ファイバオーガナイザを有する光ファイバオーガナイザ・アッセンブリを用いて光ファイバの編成経路を設定する光ファイバ編成方法であって、以下のステップを備えることを特徴とする。
１）第１及び第２の二つの光ファイバオーガナイザを組み立てて構成される光ファイバオーガナイザ・アッセンブリを用意するステップであり、
各オーガナイザがその支持メンバに、（ａ）光ファイバ入口ポートと、（ｂ）光ファイバ出口ポートと、（ｃ）上記支持メンバの片面上において上記入口ポートと出口ポートの間に配置された手段であって、上記入口ポートと出口ポートとの間を通る光ファイバの曲げ半径を該光ファイバの臨界曲げ半径に少なくとも等しい最小の曲げ半径に規制する線路手段と、（ｄ）上記支持メンバを貫通してオーガナイザの上記片面と反対側の面に伸長する光ファイバ貫通孔とを有し、（ｅ）上記第１及び第２の二つのオーガナイザが、各々の支持メンバの片面上に配置された上記線路手段が互いに背反し、且つ、各々の光ファイバ貫通孔が互いに連絡状態にあるように、背中合わせに配置して組み立てられたアッセンブリを用意するステップと、
２）上記第１のオーガナイザの片面に、上記光ファイバ入口ポートから光ファイバを導くステップと、
３）上記第１のオーガナイザの片面に導かれた上記光ファイバの経路を選択するステップであって、（ａ）上記光ファイバを上記第１のオーガナイザのみにおいて編成する経路と、（ｂ）上記光ファイバの少なくとも一部を、上記第１のオーガナイザの片面から上記光ファイバ貫通孔を挿通して上記第２のオーガナイザの片面へ導いて、上記第２のオーガナイザにおいて編成する経路、の何れか一方を選択するステップ。
【００１１】
また、本願の第２の発明は、上記第１の発明において、上記光ファイバの少なくとも一部は、上記光ファイバ貫通孔を挿通する際には、上記貫通孔の壁部により、光ファイバの臨界曲げ半径に少なくとも等しい最小曲げ半径で、上記線路手段に向かう道筋に沿って曲げられる、ことを特徴としている。
【００１２】
更に、本願の第３の発明は、上記第１又は第２の発明において、上記線路手段は、光ファイバの自由端が上記入口ポート及び上記光ファイバ貫通孔の少なくとも何れか一方から内部に通ることができる、少なくとも一つの中空のドラムから構成されており、上記線路手段内部の光ファイバは、永久的な損傷を受ける曲げ半径よりも大きい最小の曲げ半径で上記ドラム内に収納されることを特徴としている。
【発明の効果】
【００１３】
本願の第１の発明によれば、第１及び第２の二つのオーガナイザが、各々の支持メンバの片面上に配置された上記線路手段が互いに背反し、且つ、各々の光ファイバ貫通孔が互いに連絡状態にあるように、背中合わせに配置して組み立てられた光ファイバオーガナイザ・アッセンブリを用いることにより、第１のオーガナイザの片面に光ファイバを導いた上で、このように導かれた光ファイバの編成経路を、（ａ）光ファイバを第１のオーガナイザのみにおいて編成する経路と、（ｂ）光ファイバの少なくとも一部を第１のオーガナイザの片面から上記光ファイバ貫通孔を挿通して第２のオーガナイザの片面へ導き当該第２のオーガナイザにおいて編成する経路、の何れか一方を選択することができる。すなわち、このような経路選択が可能であるので、光ファイバ及びケーブルの経路選択においてより高い柔軟性を得ることができる。
【００１４】
また、第２の発明によれば、光ファイバの損傷や光の損失を確実に回避しつつ、光ファイバの少なくとも一部を第２のオーガナイザの片面へ導き当該第２のオーガナイザにおいて編成することができる。
【００１５】
更に、第３の発明によれば、光ファイバの損傷を確実に回避しつつ、第１及び第２の二つのオーガナイザの各々の支持メンバの片面上にそれぞれ配置された各線路手段の内部に、それぞれ光ファイバを収納することができ、収納性についてもより大きな容量と高い柔軟性が得られる。
【発明を実施するための最良の形態】
【００１６】
以下、本発明の実施形態について説明する。
本実施形態で用いられる光ファイバオーガナイザ・アッセンブリでは、二つのオーガナイザの各々が、その支持メンバに以下の構成要素を備えている。
（ａ）光ファイバ入口ポート；
（ｂ）光ファイバ出口ポート；
（ｃ）上記支持メンバの片面上において上記入口ポートと出口ポートの間に配置され、入口ポートと出口ポートとの間を通る光ファイバの曲げ半径が、該光ファイバの臨界曲げ半径に少なくとも等しい最小の曲げ半径となるように規制する手段；
（ｄ）上記支持メンバを貫通してオーガナイザの上記片面と反対側の面に伸長する光ファイバ貫通孔。
そして、上記二つのオーガナイザは、各々の支持メンバの片面上に配置された上記手段が互いに背反するように、更に、各々の貫通孔が互いに連絡状態にあるように、背中合わせに配置される。これにより、光ファイバオーガナイザのアッセンブリ体が得られる。
【００１７】
上記オーガナイザは、少なくとも二つの入口ポート、より好ましくは、その一方の縁部に沿って少なくとも８個の入口ポートを並べた列と、好ましくはオーガナイザの反対側の縁部において各側部に一つずつ設けられた、少なくとも二つの出口ポートと、少なくとも二つのオーガナイザドラムを有している。オーガナイザは、二つのドラムの間にある平面に関して、（好ましくは、反射状の対称性で）実質的に対称であってもよい。
【００１８】
上記入口ポートと出口ポートの間に位置させられた上記手段は、少なくとも一つの中空のドラムを備えており、該中空のドラムは、ファイバの自由端がポートの一つからドラムの内部に通ることができ、それが永久的な損傷を受ける曲げ半径よりも大きい最小の曲げ半径でドラム内に収納されることができるようにしている。
【００１９】
上記貫通孔は、好ましくは、該孔を通り凸状部分表面を越えて伸びるファイバが、その臨界曲げ半径に少なくとも等しい最小の曲げ半径に規制されるように、上記面の凸状部分から、その部分でのその半径ベクトルに対してある角度で（すなわち、半径方向でなく、好ましくは、接線方向に近く）延びている。貫通孔の壁部は、少なくとも所要の最小曲げ半径で、ドラムに向かう道筋に沿って曲がっていてもよい。この曲がった壁部は、上記片面に向かっての貫通孔の断面サイズの漸増によってもたらされ得るものであり、また、貫通孔は、上記片面から該片面と反対側の面への真っすぐ伸びる通路を備えている。これにより、ファイバは、容易に貫通孔を通り、そして、ドラムの回りに収納するために実質的に曲げられることができるようになる。
【００２０】
貫通孔の漸拡が貫通孔の周縁の一部においてのみ生じ、該孔はその周縁の残り部分にわたって実質的に円筒状のままであってもよい。漸拡部分と実質的に円筒状である部分との間の交差部は、ファイバの臨界曲げ半径に少なくとも等しい最小曲率半径を有している。貫通孔から出て来るファイバは、この交差部に沿って横たわりそうであり、もし、その曲率が適切に選ばれれば、それ以上の余分なファイバ案内手段を不要とすることができる。
【００２１】
本実施形態のオーガナイザは、好ましくは、入口／出口のポートからのファイバを受容するように位置させられた、一つ若しくはそれ以上のオーガナイザトレイと連結して使用することができる。上記オーガナイザは、好ましくは、二つの出口ポートを有し、上記オーガナイザトレイは上記二つの出口ポートからのファイバを受容するように位置させられる。
【００２２】
上記オーガナイザは、好ましくは一体構造のものであり、適切な樹脂材料で成形によって好適に製造することができる。
【００２３】
上記貫通孔は、単に、上記片面に実質的に垂直で入って来る側のケーブルを扱えるようにするだけでなく、２倍の能力のオーガナイザを製作するために二つのオーガナイザを背中合わせに配置できるようにする。この背中合わせの配置においては、二つの道筋の貫通孔は互いに連絡状態にされる。
これにより、二つの光ファイバオーガナイザを背中合わせに配置して組み立てた光ファイバオーガナイザ・アッセンブリが得られる。尚、２つの光ファイバオーガナイザは、隙間によって互いに分離されていても良い。
【００２４】
より高い柔軟性はこの配置によってもたらされる。入って来る側のケーブルが光ファイバの群に分けられ、その各々が、それを受容するオーガナイザの片方において、直接に、収納，接続あるいはスプリットされることができ、あるいは、二つの貫通孔を通過することにより、それらは、オーガナイザの他の片方において扱われることができる。
【００２５】
すなわち、一方のオーガナイザの片面に光ファイバを導いた上で、このように導かれた光ファイバの経路を、（ａ）光ファイバを上記一方のオーガナイザのみにおいて編成する経路と、（ｂ）光ファイバの少なくとも一部を、上記一方のオーガナイザの片面から上記光ファイバ貫通孔を挿通して他方のオーガナイザの片面へ導き、当該他方のオーガナイザにおいて編成する経路、の何れか一方を選択することができる。このような経路選択が可能であるので、光ファイバ及びケーブルの経路選択や収納においてより高い柔軟性を得ることができるのである。
【００２６】
尚、ベースと、ドーム形状のカバーと、上述のような光ファイバ・アッセンブリであって上記ベースに取り付けられたアッセンブリとを備えたスプライスクロージャーを構成することもできる。
【００２７】
以下、本発明の実施形態を添付図面に基づいて詳細に説明する。
図３は、第１の（図示されたように上左側の）および第２の（図示されたように下右側の）対向する縁部によって、部分的に境界付けられた第１面を有する光ファイバオーガナイザを示しており、上記第１面は以下の構成要素を備えている。
（１）第１縁部に沿って配置された複数の入口ポート８,９；
（２）第２縁部の各側部に備えられた出口ポート１０,１１；
（３）第１と第２の縁部間に位置させられた二つのオーガナイザドラム１３,１４；
（４）第１面を貫通してオーガナイザの反対側の面に伸長する貫通孔１２。
尚、上記オーガナイザドラム１３,１４が、本願請求項に記載した「線路手段」に相当している。
【００２８】
そして、上記入口ポート８,９は、ファイバチューブ成端装置（好ましくは、後述する図６Ａから図６Ｅのファイバブレークアウト装置）を受け合うことができるように一列に並んだ溝部と、上記チューブを離れたファイバを、ファイバの臨界曲げ半径に少なくとも等しい最小の曲げ半径に規制するための一連の曲がった壁部１６,１７とを備えている。
（これらの溝部は、入って来る側のファイバを位置決めする機能を有するものであるので、便宜上、ポートとして言及されるかもしれない。しかしながら、ファイバはその溝部を通るのではないことに留意すべきである。）
【００２９】
ドラム１４,１５は、好ましくは、壁部１６,１７のいずれかの間と出口ポート１０,１１を通過するファイバが、片方あるいは両方のドラム１３,１４の外表面によって、ファイバの臨界曲げ半径に少なくとも等しい最小の曲げ半径に規制されるようにしたものであり、ドラム１３,１４は好ましくは中空で、ファイバの自由端が、ポートの一つ、一般には入口ポート８,９の一つから、ドラムの内部へ通過することができるようになっている。ファイバは、それらが永久的な損傷を受ける曲げ半径よりも大きい最小の曲げ半径で、ドラム内に収納されるであろう。この最小の曲げ半径は、ダークファイバの場合には、重要なのは光の損失よりもむしろ永久的な損傷であるので、ファイバの臨界曲げ半径よりも大きいかもしれない。
【００３０】
上記貫通孔１２は、オーガナイザの面の凸状部分１８から、その部分でのその半径ベクトルに対してある角度で（すなわち、半径方向でなく、好ましくは、接線方向に近く）延びており、孔１２を通り凸状部分表面１８上を通って伸びるファイバが、その臨界曲げ半径に少なくとも等しい最小の曲げ半径に規制されるようになっている。
上記オーガナイザは、好ましくは、側壁あるいは他の保持手段１９を有し、また、ドラムは、好ましくは、ファイバを案内するのを助ける、フックあるいは他の保持手段を有している。
【００３１】
上記オーガナイザの詳細が、図４Ａから図４Ｅに示されている。
図４Ａでは、例えば、貫通孔１２の壁部１２Ａが、ドラム１３,１４に向かう道筋に沿って曲がっていることが見て取れる。この曲がりは、図４Ａに描かれた面に向かっての貫通孔１２の断面サイズの漸増によってもたらされ得る。その結果、貫通孔１２は、片面から反対側の面への、光ファイバの容易な挿入を許容する、実質的に真っすぐ伸びる通路を含んでいる。このことは、おそらく図４Ｂにおいて最もよく見て取れる。したがって、貫通孔１２を通ってドラム１３,１４へ向かうファイバは、与えられた最小の曲げ半径に規制されることが分かる。
【００３２】
上記ドラム１３,１４は、特に図３から、ファイバの自由端が、ポートの一つから、それが収納され得るドラム内部へ通って入ることを許容するように、中空であることが見て取れる。該中空ドラムは、その壁部に、かかるファイバが通過できる溝１５を有している。
【００３３】
入口ポート８,９は、実質的に相互に同心状の曲がった壁部１６,１７という形で、曲げ制御手段を有していることが分かる。図に示されたオーガナイザは、ＡＡ線に関して反射状の対称性を有しており、その結果、上記曲げ制御手段は、その壁部が反対方向に曲がる二つのグループ１６,１７に配置されている。
【００３４】
本実施形態では、二つのオーガナイザが、各々の支持メンバの片面上に配置されたオーガナイザドラム１３，１４が互いに背反し、且つ、各々の光ファイバ貫通孔１２が互いに連絡状態にあるように、背中合わせに配置し組み立てて得られた上述の光ファイバオーガナイザ・アッセンブリを用い、一方のオーガナイザの片面に光ファイバを導いた上で、このように導かれた光ファイバの編成経路を、（ａ）光ファイバを一方のオーガナイザのみにおいて編成する経路と、（ｂ）光ファイバの少なくとも一部を上記一方のオーガナイザの片面から上記光ファイバ貫通孔１２を挿通して他方のオーガナイザの片面へ導き当該他方のオーガナイザにおいて編成する経路、の何れか一方を選択するようにしている。すなわち、このような経路選択が可能であるので、光ファイバ及びケーブルの経路選択においてより高い柔軟性を得ることが可能である。
【００３５】
図５Ａから図５Ｅは、種々の形態および長さのファイバを収容するに際してのオーガナイザの柔軟性を示している。
図５Ａでは、ファイバは、貫通孔１２から入って出口１０及び１１を通って出て行く。また、幾本かのダークファイバが、貫通孔１２を後にしてドラム１３内に収納されている。ここでは、オーガナイザは、例えばファイバ接続部及び／又はファイバスプリッタを収容する光ファイバ接続トレイのような、他の部品とともに使用されることが意図されている。オーガナイザは、その右側には接続トレイに入るファイバを収容するためのチャンネル（ｃｈａｎｎｅｌ）があるかもしれず、その左側には接続トレイを出て行くファイバを収容するチャンネルがあるかもしれないようなトレイを載せた基板と共に並べられるであろう。これらの通路は、随意に、溝内のもの及び溝外のものとして言及されるかもしれないけれども、このことは、光の伝送方向を何ら示唆せんとするものではない。
【００３６】
図５Ｂでは、ファイバは、入口ポート８（それらのうちの２,３のものだけが図示されている）を通って入り、曲げ制御手段１６を通過し、そして貫通孔１２を介してオーガナイザを出て行く。また、ファイバは、入口ポート９を通って入り、曲げ制御手段１７を通過し、そして再び貫通孔１２を介して出て行く。
図５Ｃでは、ファイバは、入口ポート８を通って入り、そして出口ポート１０から出て行き、また、入口ポート９を通って入り、そして出口ポート１１を通って出て行く。
図５Ｄでは、ファイバは、入口ポート８を通って入り、そして出口ポート１１を通って出て行く。
図５Ｅでは、ファイバは、出口ポート１０を通って入り、そして出口ポート１１を通って出て行く。
【００３７】
光ファイバブレークアウト装置が、図６Ａから図６Ｅに示されている。
それは、例えば、図３のオーガナイザの入口ポート８,９よりなる溝内に、取り外し可能に固定され得る。このことは、例えば図に示された２本の脚部でなる弾力性のある爪によってなされることができ、これらのうちの一つには、上記溝を規定する壁部の下部表面と係合するために引っ掛かりが付けられている。
上記ブレークアウト装置は、より大径のファイバチューブ（上右側に点線で描いて示されている）を保持するための一つの第１通路と、複数のより小径のファイバチューブを保持するための４つの第２通路（図示されたように下左側端部に）とを備えていることが見て取れる。
【００３８】
かかるチューブ内のファイバは、より大径のチューブとより小径の各チューブとの間を、顕著な光の損失を引き起こすような曲げを伴うことなく、通過することができることが分かる。図に示された実施態様では、上記４つの第２通路は、その中のチューブの係留のために内方へ張り出す突出部によって部分的に小分割された一つの通路を構成している。かかる突出部の精確な形状は重要ではないが、好ましい実施態様においては、上記突出部は、部分的に重なり合う複数の円の断面を実質的に有している第２通路によってもたらされる。このように、チューブは締まり嵌めによって保持される。４つの第２通路が図示されているけれども、他の数、例えば２から６の数が設けられてもよい。
【００３９】
図７は、上述のようにスプライスクロジャー（ｓｐｌｉｃｅ  ｃｌｏｓｕｒｅ）内に封入されたオーガナイザを示しており、上記スプライスクロジャーは、オーガナイザ２１が見えるように切り欠いて図示されている。
該スプライスクロジャーは、ベース２２とドーム状のカバー２３とを備えている。ベース２２は、種々の円形ポート２４と１つの楕円ポート２５を保持している。ベースに取り付けられているのは、オーガナイザ２１が取り付けられるフレーム若しくは他の支持体２６である。
【００４０】
第２の支持体もしくはフレーム２７が、フレーム若しくは支持体２６と隙間２８だけ離れて設けられている。この隙間２８は、エンクロージャ（ｅｎｃｌｏｓｕｒｅ）内で接続されることがなく、したがってオーガナイザ２１をバイパスする、入って来る側および出て行く側のケーブルからのファイバのループを収納することができる。
第２のオーガナイザを、フレーム若しくは支持体２７の背面側に（したがって見えないが）設けることができる。その場合、二つのオーガナイザは、その貫通孔１２を介して連絡状態にすることができる。オーガナイザトレイは、ファイバ接続部及び／又はファイバスプリッタを保持して、空間部２９に設けられ得る。
【００４１】
このように、ポート２５に入って来るケーブルは、それが内包するファイバの幾本かが、図５Ａから５Ｅに図示されているようにオーガナイザ２１に入るようにスプリットされることができ、そして、空間部２９内に位置する接続トレイに向かってオーガナイザ２１を出ることができる。
そこでは、ファイバが接続あるいはスプリット（ｓｐｌｉｔ）され、そして、それらが接続される、あるいは、それらがスプリットされたファイバは、また図５Ａから５Ｅに図示されているように、オーガナイザ２１に入り直し、そして最終的にはそれから出て行くことができる。入って来る側のケーブルからの他のファイバは、空間２８内で環状に巻かれ、そして、それからポートを通って出て行くことができる。
【００４２】
一般に、これは、楕円ポート２５内に挿入される約２メートルの長さの１巻のケーブルを取ることによって行われる。そのループを構成するファイバの幾本かは空間２８内に単に収納され、そして、他のものが切断されてオーガナイザ２１に送られるであろう。上記ループ状のケーブルは、ファイバ光網におけるリング若しくはスパー（ｓｐｕｒ）を構成することができる。上記ループの切断されたファイバに接続された後に円形ポート２４を出たファイバは、加入者側に向かって通過しても良く、あるいは、別のスパーを形成するのに用いられても良い。
【００４３】
図８は、空間部２９内に配置されるにせよ、そうでないにせよ、オーガナイザ２１と連係して用いることができる光ファイバトレイを示している。
図８に示されたモジュール（ｍｏｄｕｌｅ）３０は、予めファイバを組み込むことができ、ベース３３に順に固定された取付装置３２に対して丁番付けされた一連のトレイ３１を備えている。該トレイ３１は、ファイバのループを収納するための手段や、ファイバ接続部あるいはファイバスプリッタを固定するための手段を備えていることが見て取れる。このモジュールは、スナップ嵌めされるにせよ、そうでないにせよ、図７の空間部２９で取り付けられ、そして、それが収納しているファイバは、オーガナイザ２１を出て行くものに接続される。
【００４４】
本実施形態では、光ファイバを、編成し，収納し，保護するための、さまざまの部品，組立品，システムおよび方法が開示されている。開示された種々の部品のどれであれ、一つ若しくはそれ以上の他の部品の何れとでも一緒に用いることができる。
【産業上の利用可能性】
【００４５】
本発明は、光ファイバ編成方法に関するもので、光ファイバオーガナイザを用いて光ファイバ及びケーブルを編成あるいは配線するに際し、二つの光ファイバオーガナイザを有する光ファイバオーガナイザ・アッセンブリを用いることで、光ファイバ及びケーブルの経路選択においてより高い柔軟性を得ることができ、光ファイバ網での接続，終端処理およびスプリッティングなどにおける光ファイバの編成に有効に適用することができる。
【００４６】
尚、本発明は、以上の実施態様に限定されるものではなく、その要旨を逸脱しない範囲において、種々の変更や改良を加え得るものであることは言うまでもない。
【図面の簡単な説明】
【００４７】
【図１】先行技術に係る光ファイバオーガナイザを示す斜視図である。
【図２】他の先行技術に係る光ファイバオーガナイザを示す斜視図である。
【図３】本発明の実施形態に係る光ファイバオーガナイザを示す斜視図である。
【図４Ａ】上記実施形態に係る光ファイバオーガナイザの平面説明図である。
【図４Ｂ】図４ＡのＡ−Ａ線に沿った断面説明図である。
【図４Ｃ】図４Ａの矢印Ｃ−Ｃ方向から見て示した矢視図である。
【図４Ｄ】上記光ファイバオーガナイザの貫通孔を拡大して示す平面説明図である。
【図４Ｅ】上記光ファイバオーガナイザの一部を示す部分断面説明図である。
【図５Ａ】上記実施形態に係る光ファイバオーガナイザにおける光ファイバの編成経路の一例を示す平面説明図である。
【図５Ｂ】上記実施形態に係る光ファイバオーガナイザにおける光ファイバの編成経路の一例を示す平面説明図である。
【図５Ｃ】上記実施形態に係る光ファイバオーガナイザにおける光ファイバの編成経路の一例を示す平面説明図である。
【図５Ｄ】上記実施形態に係る光ファイバオーガナイザにおける光ファイバの編成経路の一例を示す平面説明図である。
【図５Ｅ】上記実施形態に係る光ファイバオーガナイザにおける光ファイバの編成経路の一例を示す平面説明図である。
【図６Ａ】上記実施形態に係る光ファイバブレークアウト装置を示す斜視図である。
【図６Ｂ】上記光ファイバブレークアウト装置の正面説明図である。
【図６Ｃ】上記光ファイバブレークアウト装置の右側面説明図である。
【図６Ｄ】上記光ファイバブレークアウト装置の正面説明図である。
【図６Ｅ】上記光ファイバブレークアウト装置の左側面説明図である。
【図７】上記光ファイバオーガナイザを包含したケーブル接続ケースを示す斜視図である。
【図８】上記オーガナイザと共に用いるための一連のオーガナイザトレイを示す斜視図である。
【符号の説明】
【００４８】
８，９  光ファイバ入口ポート
１０，１１  光ファイバ出口ポート
１２  光ファイバ貫通孔
１３，１４  オーガナイザドラム
【図１】
2005092244.tif 000003
【図２】
2005092244.tif 000004
【図３】
2005092244.tif 000005
【図４Ａ】
2005092244.tif 000006
【図４Ｂ】
2005092244.tif 000007
【図４Ｃ】
2005092244.tif 000008
【図４Ｄ】
2005092244.tif 000009
【図４Ｅ】
2005092244.tif 000010
【図５Ａ】
2005092244.tif 000011
【図５Ｂ】
2005092244.tif 000012
【図５Ｃ】
2005092244.tif 000013
【図５Ｄ】
2005092244.tif 000014
【図５Ｅ】
2005092244.tif 000015
【図６Ａ】
2005092244.tif 000016
【図６Ｂ】
2005092244.tif 000017
【図６Ｃ】
2005092244.tif 000018
【図６Ｄ】
2005092244.tif 000019
【図６Ｅ】
2005092244.tif 000020
【図７】
2005092244.tif 000021
【図８】
2005092244.tif 000022